(57)【要約】【課題】ボウルの後部において汚れやすい左右方向の中央部を広範囲に亘って洗浄できる小便器を提供する。【解決手段】小便器１は、小便を受けるボウル３と、洗浄水をボウル３の内面に流下させる吐水部６とを具備する。ボウル３は、利用者に対向する対向面３０を備える。対向面３０は、対向面３０に少なくとも１つ形成され、吐水部６から吐出された洗浄水をガイドする上向きのガイド面３５を有する。ガイド面３５は、対向面３０の左右方向の中央部に位置し、対向面３０の左右方向の一端部に向かって下り傾斜する。【選択図】図１
2017110401.tif 000002
【特許請求の範囲】
【請求項１】
小便を受けるボウルと、
洗浄水を前記ボウルの内面に流下させる吐水部とを具備し、
前記ボウルは、
利用者に対向する対向面を備え、
前記対向面は、
前記対向面に少なくとも１つ形成され、前記吐水部から吐出された洗浄水をガイドする上向きのガイド面を有し、
前記ガイド面は、前記対向面の左右方向の中央部に位置し、前記対向面の左右方向の一端部に向かって下り傾斜したことを特徴とする小便器。
【請求項２】
前記対向面の左右の端部のうちの一方を第１端部とすると共に他方を第２端部としたとき、
前記ボウルは、
前記対向面に形成され、前記第１端部から前記第２端部に亘る少なくとも１つの段差面を有し、
前記段差面は、前記第１端部から前記第２端部に向かって下り傾斜し、
前記段差面の長さ方向の一部により前記ガイド面が構成されたことを特徴とする請求項１に記載の小便器。
【請求項３】
前記吐水部は前記第１端部に設けられたことを特徴とする請求項２に記載の小便器。
【請求項４】
前記ボウルは、
前記段差面を前記ボウルの前部まで延長した少なくとも１つの延長段差面を有することを特徴とする請求項２又は請求項３に記載の小便器。
【請求項５】
前記ボウルは、
前記少なくとも１つの段差面として、上下に並んだ複数の段差面を有し、
前記複数の段差面の全てが、前記第１端部から前記第２端部に向かって下り傾斜したことを特徴とする請求項２〜４のいずれか１項に記載の小便器。
【請求項６】
前記ボウルは合成樹脂製であることを特徴とする請求項１〜５のいずれか１項に記載の小便器。
【発明の詳細な説明】
【技術分野】
【０００１】
本発明は小便器に関する。
【背景技術】
【０００２】
特許文献１には小便器が開示されている。この小便器の便器ボウルの上部には、洗浄水を吐出する複数個の小穴が設けられている。
【先行技術文献】
【特許文献】
【０００３】
【特許文献１】特開２００１−１１５５３３号公報
【発明の概要】
【発明が解決しようとする課題】
【０００４】
ところで、特許文献１に開示された小便器は、洗浄水が、便器ボウルの背面の左右方向の中央部において左右に広がり難い。このため、便器ボウルの背面において、小便が直接掛かって汚れやすい左右方向の中央部の広い範囲を洗浄することが難しい。
【０００５】
本発明は前記事情に鑑みてなされたものであって、ボウルの使用者に対向する対向面の左右方向の中央部を広範囲に亘って洗浄できる小便器を提供することを目的とする。
【課題を解決するための手段】
【０００６】
前記目的を達成するために本発明の小便器は、小便を受けるボウルと、洗浄水を前記ボウルの内面に流下させる吐水部とを具備し、前記ボウルは、利用者に対向する対向面を備え、前記対向面は、前記対向面に少なくとも１つ形成され、前記吐水部から吐出された洗浄水をガイドする上向きのガイド面を有し、前記ガイド面は、前記対向面の左右方向の中央部に位置し、前記対向面の左右方向の一端部に向かって下り傾斜したことを特徴とする。
【発明の効果】
【０００７】
本発明に係る小便器は、ボウルの使用者に対向する対向面において左右方向の中央部を広範囲に亘って洗浄できる。
【図面の簡単な説明】
【０００８】
【図１】図１は、本発明の一実施形態に係る小便器の斜視図である。
【図２】同上の小便器を右側から見たときの斜視図である。
【図３】同上の小便器の概略図である。
【図４】同上の小便器の縦断面図である。
【図５】本発明の一実施形態の他例の小便器の概略図である。
【発明を実施するための形態】
【０００９】
以下に示す実施形態及び変形例は、小便器に関し、詳しくは、洗浄水によってボウルの内面を洗浄可能な小便器に関する。
【００１０】
（実施形態）
図１及び図２には、本実施形態の小便器１が示されている。小便器１は床９０（図３及び図４参照）に設置される便器本体２を具備している。便器本体２は合成樹脂製である。
【００１１】
図１及び図２に示される便器本体２は、ボウル３を備えている。ボウル３は便器本体２の一部であり、床９０に立った男性利用者の小便を受ける部分である。
【００１２】
以下、小便器１について設置状態における便器本体２の方向を基準として説明する。具体的には、便器本体２から見て利用者が位置する側を前方、利用者とは反対側を後方とし、前方から便器本体２を見て左側を左方とする。
【００１３】
ボウル３は上方に向かって開口している。ボウル３は後部３３が前部３４よりも上方に突出している。以下、ボウル３の後部３３をボウル後部３３といい、ボウル３の前部３４をボウル前部３４という。
【００１４】
本実施形態の小便器１は、小便専用のストール小便器である。ボウル３は、底部４０と、後壁部４３と、左右方向における両側の側壁部４１，４２と、前壁部４４（垂れ受け）とを備えている。以下、必要に応じて、両側壁部４１，４２のうちの一方の側壁部である右の側壁部４１を第１側壁部４１といい、他方の側壁部である左の側壁部４２を第２側壁部４２という。
【００１５】
後壁部４３、第１側壁部４１、第２側壁部４２、及び前壁部４４は、底部４０の後端部、右端部、左端部、及び前端部からそれぞれ上方に突出している。
【００１６】
第１側壁部４１は後壁部４３の右端部から前方に向かって突出し、第２側壁部４２は後壁部４３の左端部から前方に向かって突出している。両側壁部４１，４２の下端部の前端部同士は、前壁部４４を介して繋がっている。
【００１７】
後壁部４３と両側壁部４１，４２は、前壁部４４よりも背が高く、前壁部４４よりも上方に大きく突出している。前壁部４４は左右方向において中央に近い部分ほど前方に位置するように湾曲している。
【００１８】
底部４０の上面と、後壁部４３の前面と、左右の側壁部４１，４２の内面と、前壁部４４の後面とで、ボウル３の連続した内面が構成されている。底部４０の前部と前壁部４４とでボウル前部３４が構成されている。底部４０の後部と、後壁部４３と、両側壁部４１，４２とで、ボウル後部３３が構成されている。
【００１９】
ボウル３は、便器本体２の前方に立つ利用者に対向して、利用者の小便を受ける対向面３０を備えている。本実施形態の対向面３０は、後壁部４３の前面で構成されている。
【００２０】
便器本体２は洗浄水をボウル３の内面に流下させる吐水部６を備えている。吐水部６は、対向面３０の右端部の上端部に設けられており、対向面３０と第１側壁部４１の内面とに跨っている。
【００２１】
本実施形態の小便器１は、図３に示される給水管８０を具備している。給水管８０は図示しない水源に接続されており、給水管８０には水源から洗浄水として用いられる水が供給される。給水管８０の下流端部は、吐水部６に接続されており、吐水部６には給水管８０から洗浄水が供給される。本実施形態の吐水部６は、給水管８０から供給された洗浄水を下方ほど左右方向に広がるように吐出するスプレッダーである。
【００２２】
本実施形態の小便器１は、ボウル３の内面を自動洗浄する小便器である。小便器１は、開閉弁８１と、人体検知センサー８２と、制御装置８３とを具備している。
【００２３】
開閉弁８１は給水管８０に設けられている。開閉弁８１は電磁弁である。
【００２４】
人体検知センサー８２は便器本体２に設けられている。具体的に人体検知センサー８２は、対向面３０（後壁部４３）の上端部の左右方向の中央部に設けられており、吐水部６と左右方向に並んでいる。人体検知センサー８２は赤外線センサーであり、便器本体２の前方に利用者が存在するか否かを検知する。
【００２５】
開閉弁８１と人体検知センサー８２は、制御装置８３に電気的に接続されている。制御装置８３は人体検知センサー８２で検知した検知情報に基づいて開閉弁８１を制御する。
【００２６】
利用者が小便器１を利用するにあたって便器本体２の前方に立ったとき、人体検知センサー８２により、便器本体２の前方に利用者が存在することが検知される。また、利用者が小便器１で用を足した後、便器本体２の前方から立ち去ったとき、人体検知センサー８２により、便器本体２の前方に利用者が存在しないことが検知される。
【００２７】
制御装置８３は、上述のように人体検知センサー８２によって利用者が存在することを検知した後に利用者が存在しないことを検知した場合、開閉弁８１を開く。これにより、小便器１の吐水部６に給水管８０から洗浄水が供給され、吐水部６から利用者が用を足した後のボウル３内に洗浄水が吐出されてボウル３の内面が洗浄される。
【００２８】
制御装置８３は、開閉弁８１を開いてから所定時間が経過した時点で、開閉弁８１を閉じる。このように開閉弁８１が閉じると、給水管８０から吐水部６への洗浄水の供給が止まり、吐水部６からの洗浄水の吐出が止まる。
【００２９】
図４に示されるように、ボウル３の底部４０の下端部には、排出口４５が形成されている。排出口４５は吐水部６から吐出された洗浄水及び小便をボウル３から排出する。
【００３０】
本実施形態の排出口４５は、排水トラップの一部を構成する。排出口４５は、上方に向かって開口した凹部４６と、凹部４６の底部中央に形成された排水筒部４７とで構成されている。
【００３１】
排水筒部４７は上下に貫通した筒状である。排水筒部４７は、凹部４６の底部から上方に突出した突出部４８と、凹部４６の底部から下方に突出した接続部４９とを有している。
【００３２】
排水筒部４７の接続部４９には、排水管９１が接続されている。ボウル３の底部４０に流れ込んだ小便及び洗浄水は、排水筒部４７を通して排水管９１に排出される。
【００３３】
凹部４６の内側領域のうち、突出部４８の外側の領域は、洗浄水が溜まる溜水領域５０となる。
【００３４】
本実施形態の小便器１は、排出口４５に着脱可能に設けられた目皿７を具備している。目皿７は、蓋部７０と筒部７１とを備えている。蓋部７０は凹部４６の上端部に配置されており、凹部４６の上開口部を覆っている。
【００３５】
筒部７１は蓋部７０の中央部から下方に向かって突出し、溜水領域５０に挿入されている。溜水領域５０の下端部を除く領域は、筒部７１により筒部７１外側の外側領域５３と筒部７１内側の内側領域５４とに仕切られている。
【００３６】
蓋部７０において筒部７１よりも外側に突出した部分には、上下に貫通した目皿孔７２が形成されている。ボウル３の内側の領域は、目皿孔７２を介して外側領域５３に通じている。
【００３７】
ボウル３の底部４０に流れ込んだ洗浄水及び小便は、目皿孔７２から外側領域５３に流入し、この後、内側領域５４及び排水筒部４７を通って排水管９１に排出される。
【００３８】
溜水領域５０に溜まった洗浄水は、目皿孔７２と排水筒部４７との間の空気の流通を遮断する封水となる。この封水により、排水筒部４７側から臭気や虫等がボウル３内に入ることが抑制される。すなわち、本実施形態では目皿孔７２と目皿７とで、排水トラップが構成されている。
【００３９】
図１及び図２に示されるように、ボウル３は、対向面３０に少なくとも１つ形成されたガイド面３５を有している。ガイド面３５は、吐水部６から吐出された洗浄水をガイドする上向きの面である。ここで、「上向き」とは、鉛直上向きの成分を含んだ方向を意味し、鉛直上向き以外の上方も含まれる。以下、同様に鉛直上向きの成分を含んだ方向を「上向き」という。
【００４０】
ガイド面３５は対向面３０の左右方向の中央部に位置している。ここで、「中央部」とは、対向面３０の左右方向の中心を少なくとも含み、かつ左右方向に広がりのある領域である。すなわち、対向面３０の左右方向の中央部とは、対向面３０の左右方向における中間部であって、対向面３０の左右両端部間に位置する部分である。
【００４１】
本実施形態の対向面３０には、上下方向に並んだ複数の段差面５１が形成されている。各段差面５１は吐水部６よりも下方に位置している。各段差面５１はボウル後部３３の内面に沿って対向面３０の右端部から左端部にまで亘っている。
【００４２】
各段差面５１は上向きの面であり、吐水部６から吐出された洗浄水をガイドする。本実施形態の各段差面５１は、対向面３０から第２側壁部４２の内面まで延びている。より具体的には、各段差面５１は、対向面３０の右端よりやや左寄りの箇所から、第２側壁部４２の内面の前端まで連続して延びている。
【００４３】
本実施形態では各段差面５１において、対向面３０の左右方向の中央部に位置する部分（長さ方向の一部）がガイド面３５となっている。すなわち、本実施形態のボウル３は、上下方向に並んだ複数のガイド面３５を備えている。
【００４４】
複数の段差面５１は、吐水部６から下方に吐出されて、ボウル後部３３の内面に沿って流下する洗浄水が通過する位置に形成され、吐水部６から下方に吐出された洗浄水の大半を受ける。ここで、各段差面５１で受けられる洗浄水の量は、吐水部６に近い右側ほど多い。
【００４５】
対向面３０の左右の端部のうちの一方を第１端部３１とすると共に、第１端部３１とは反対側の端部を第２端部３２としたとき、各段差面５１は第１端部３１から第２端部３２に向かって下り傾斜している。
【００４６】
本実施形態では、対向面３０の右端部が第１端部３１であり、対向面３０の左端部が第２端部３２である。すなわち、各段差面５１は、左方に向かって下り傾斜している。各段差面５１で受けられた洗浄水は、当該段差面５１に沿って第２端部３２側に流れる。
【００４７】
各段差面５１において、第２側壁部４２に対応する部分は、前方に向かって下り傾斜している。さらに各段差面５１の下り勾配は、後壁部４３に対応する部分よりも第２側壁部４２に対応する部分の方が大きい。このため、各段差面５１上を流下する洗浄水の流れ方向は、後壁部４３に対応する部分よりも、第２側壁部４２に対応する部分の方が鉛直下向きに近づく。したがって、各段差面５１上を流れる洗浄水は、ボウル３から左方に飛散し難い。
【００４８】
図４に示されるように、各段差面５１は、当該段差面５１の長さ方向に直交する断面で見たとき、ボウル３の内側に向かって下り傾斜している。このため、各段差面５１上を流れる洗浄水の一部は、当該段差面５１からボウル３の内側に零れ落ち、当該段差面５１の内縁から下方に延びたボウル３内面を流下する。つまり、吐水部６から吐出された洗浄水は、各段差面５１によって左方に広げられつつ流下する。このため、ボウル後部３３の内面は、洗浄水によって、右端部から左端部までの広範囲に亘って洗浄される。
【００４９】
図１及び図２に示されるように、本実施形態のボウル３は、ボウル前部３４の内面に形成された延長段差面３６をさらに有している。本実施形態のボウル３は、複数の延長段差面３６を備えている。これら複数の延長段差面３６は、前壁部４４の内面に形成されており、上下に並んでいる。
【００５０】
各延長段差面３６は、後壁部４３から第２側壁部４２まで延びた複数の段差面５１の各々を、ボウル前部３４の内面まで延長した上向きの面である。各段差面５１に沿って第２側壁部４２まで流れた洗浄水は、対応する延長段差面３６に流れる。
【００５１】
各延長段差面３６は、ボウル３の前壁部４４の左端から前壁部４４の内面に沿って右方に向かって連続して延びている。
【００５２】
各延長段差面３６は右方に向かって下り傾斜している。このため、各延長段差面３６上の洗浄水は、当該延長段差面３６に沿って右方に向かって流れ、この後、ボウル３の底部４０に流れ落ちて排出口４５から排出される。
【００５３】
図４に示されるように、各延長段差面３６は、当該延長段差面３６の長さ方向と直交する断面で見たときボウル３の内側に向かって下り傾斜している。このため、各延長段差面３６上を右方に向かって流れる洗浄水の一部は、当該延長段差面３６からボウル３の内側に零れ落ち、当該延長段差面３６の内縁から下方に延びた前壁部４４内面を流下してボウル３の底部４０に至り、この後、排出口４５から排出される。
【００５４】
また、図１及び図２に示される吐水部６から吐出された洗浄水は、ボウル後部３３においては複数の段差面５１によって左方に向かって流れ、ボウル前部３４においては複数の延長段差面３６によって右方に向かって流れる。このため、吐水部６から吐出された洗浄水の大半は、平面視で同一方向に旋回するように流れ、ボウル３の底部４０では、洗浄水の旋回流が生じる。したがって、ボウル３の底部４０の内面に付着した汚れは、旋回する洗浄水によって落ちやすい。
【００５５】
本実施形態のボウル３は、図１に示されるように第２段差面５２をさらに備えている。第２段差面５２は吐水部６から吐出された洗浄水をガイドする。
【００５６】
第２段差面５２はボウル３の右端部の内面に形成された上向きの面である。第２段差面５２はボウル３の第１側壁部４１の上部から下部を経て前壁部４４の内面まで連続して延びている。第２段差面５２は、吐水部６から下方に吐出されて、ボウル後部３３の第１端部３１の内面（詳しくは第１側壁部４１の内面）に沿って流下する洗浄水を受ける。
【００５７】
第２段差面５２は前方に向かって下り傾斜している。このため、第２段差面５２で受けられた洗浄水は、第２段差面５２に沿って前方に向かって流れ、ボウル３の前壁部４４まで導かれる。
【００５８】
第２段差面５２も段差面５１及び延長段差面３６と同様、第２段差面５２の長さ方向と直交する断面で見たとき、ボウル３の内側に向かって下り傾斜している。このため、第２段差面５２上を前方に向かって流れる洗浄水の一部は、第２段差面５２からボウル３の内側に零れ落ち、第２段差面５２の内縁から下方に延びたボウル３内面を流下してボウル３の底部４０に至る。すなわち、吐水部６から吐出された洗浄水の一部は、第２段差面５２によって前方に広げられつつ流下する。このため、ボウル３の右端部の内面は、洗浄水によって前後方向の広範囲に亘って洗浄される。
【００５９】
なお、本実施形態の段差面５１の右端は、後壁部４３の右端よりも左側に位置しているが、後壁部４３の右端や第１側壁部４１に位置してもよい。また、本実施形態の段差面５１は、左方に向かって下り傾斜しているが、右方に向かって下り傾斜してもよい。
【００６０】
また、ボウル３は複数の段差面５１を備えているが、段差面５１を１つだけ備えたボウル３であってもよい。すなわち、ボウル３は少なくとも１つの段差面５１を備えていればよい。
【００６１】
また、本実施形態のガイド面３５は、ボウル後部３３の左右の両端部間に亘る段差面５１の長さ方向の一部によって構成されているが、対向面３０の左右方向の中央部にだけ形成された段差面によって構成されてもよい。
【００６２】
（変形例）
次に、小便器１の変形例について説明する。なお、以下の変形例の説明では、前記実施形態と共通の構成については同一の符号を付し、共通する点については説明を省略する。
【００６３】
図５に示される本変形例の小便器１は、吐水部６が対向面３０の左右方向の中央部に設けられている。
【００６４】
対向面３０の左右方向の中央部には、左右一対のガイド面３５が上下方向に複数組形成されている。
【００６５】
本変形例の対向面３０には、左右一対の段差面５１が上下方向に複数組形成されている。各段差面５１は吐水部６よりも下方に位置している。左右の段差面５１のうち、右側の段差面５１は、対向面３０の左右方向の中央部から第１端部３１まで亘っており、左側の段差面５１は、対向面３０の左右方向の中央部から第２端部３２まで亘っている。
【００６６】
本変形例では、各段差面５１において、対向面３０の左右方向の中央部に位置する部分がガイド面３５となっている。すなわち、右側のガイド面３５は右側の段差面５１の左端部で構成され、対向面３０の右端部に向かって下り傾斜している。また、左側のガイド面３５は左側の段差面５１の右端部で構成され、対向面３０の左端部に向かって下り傾斜している。
【００６７】
本変形例の小便器１にあっては、吐水部６から吐出された洗浄水が、左右の段差面５１で受けられ、この後、各段差面５１に沿って左右方向に広げられる。このため、対向面３０は、洗浄水によって左右方向の広い範囲に亘って洗浄される。
【００６８】
なお、本変形例の小便器１は、左右の段差面５１が左右対称に形成されているが、左右非対称であってもよい。
【００６９】
以上説明した実施形態及び変形例の小便器１は、以下の構成を有している。小便器１は、小便を受けるボウル３と、洗浄水をボウル３の内面に流下させる吐水部６とを具備する。ボウル３は、利用者に対向する対向面３０を備える。対向面３０は、対向面３０に少なくとも１つ形成され、吐水部６から吐出された洗浄水をガイドする上向きのガイド面３５を有する。ガイド面３５は、対向面３０の左右方向の中央部に位置し、対向面３０の左右方向の一端部（第２端部３２）に向かって下り傾斜する。
【００７０】
この構成を有する小便器１は、吐水部６から吐出された洗浄水が、対向面３０の左右方向における中央部に形成されたガイド面３５に沿って左右方向に広がりやすい。このため、対向面３０において汚れやすい左右方向の中央部が広範囲に亘って洗浄される。
【００７１】
また、前記実施形態の小便器１は、以下の付加的な構成を有している。対向面３０の左右の端部のうちの一方を第１端部３１とすると共に他方を第２端部３２とする。ボウル３は、対向面３０に形成され、第１端部３１から第２端部３２に亘る少なくとも１つの段差面５１を有する。段差面５１は、第１端部３１から第２端部３２に向かって下り傾斜する。段差面５１の長さ方向の一部によりガイド面３５が構成される。
【００７２】
この構成を有する小便器１は、吐水部６から吐出された洗浄水が、対向面３０の第１端部３１から第２端部３２に亘る段差面５１に沿って左右方向に広がりやすい。このため、対向面３０の広い範囲が洗浄される。
【００７３】
また、前記実施形態の小便器１は、以下の付加的な構成を有している。吐水部６は第１端部３１に設けられる。
【００７４】
この構成を有する小便器１は、吐水部６が第１端部３１に設けられるため、吐水部６から吐出された洗浄水が、段差面５１の上部（第１端部３１側の部分）で受けられやすい。そして、このように段差面５１の上部で受けられた洗浄水は、段差面５１に沿って下方に流れる。このため、吐水部６から吐出された洗浄水は、対向面３０の左右方向の広い範囲により一層広がりやすい。
【００７５】
また、前記実施形態の小便器１は、以下の付加的な構成を有している。ボウル３は、段差面５１をボウル３の前部３４まで延長した少なくとも１つの延長段差面３６を有する。
【００７６】
この構成を有する小便器１は、段差面５１に沿って流れた洗浄水が延長段差面３６に至り、延長段差面３６に沿って第１端部３１側（段差面５１とは反対側）に流れる。このため、洗浄水はボウル３の前部３４まで広がりやすくなり、ボウル３の前部３４が広範囲に亘って洗浄される。
【００７７】
また、前記実施形態の小便器１は、以下の付加的な構成を有している。ボウル３は、少なくとも１つの段差面５１として、上下に並んだ複数の段差面５１を有する。複数の段差面５１の全てが、第１端部３１から第２端部３２に向かって下り傾斜する。
【００７８】
この構成を有する小便器１は、吐水部６から吐出された洗浄水が、複数のガイド面３５に沿って左右方向に広がる。このため、ボウル３の後部３３において汚れやすい左右方向の中央部はより広範囲に亘って洗浄されやすい。
【００７９】
また、前記実施形態及び変形例の小便器１は、以下の付加的な構成を有している。ボウル３は合成樹脂製である。
【００８０】
この構成を有する小便器１は、ボウル３が複雑な形状を作りやすい合成樹脂から形成される。このため、ガイド面３５を有するボウル３を容易に製造できる。
【００８１】
以上説明した実施形態及び変形例の便器本体２は、床９０に設置されず、例えば壁に掛けられて床９０から上方に離間した状態で設けられてもよい。
【００８２】
また、便器本体２は少なくともボウル３が合成樹脂製であればよく、便器本体２のボウル３以外の部分は合成樹脂以外の他の材料から形成されてもよい。また、便器本体２は合成樹脂製に限られず、例えば陶器製であってもよい。
【００８３】
また、前記実施形態及び変形例の便器本体２は、排出口４５と目皿７とで構成された排水トラップを有しているが、ボウル３より下流側にトラップが設けられる場合には、排水トラップは省略可能である。
【００８４】
また、人体検知センサー８２は、赤外線センサーに限られず、マイクロ波等を用いて人体を検出するセンサーであってもよい。また、開閉弁８１は手動で開閉を切り替える切替弁であってもよい。
【００８５】
また、この他、前記実施形態及び変形例の小便器１は、適宜設計変更可能である。
【符号の説明】
【００８６】
１  小便器
３  ボウル
３０  対向面
３１  第１端部
３２  第２端部
３３  ボウル後部
３４  ボウル前部
３５  ガイド面
３６  延長段差面
５１  段差面
６  吐水部
【図１】
2017110401.tif 000003
【図２】
2017110401.tif 000004
【図３】
2017110401.tif 000005
【図４】
2017110401.tif 000006
【図５】
2017110401.tif 000007